(57)【要約】【課題】便座の樹脂やけを抑制できる、あるいはボウル部の表面に十分な強度の紫外線を照射できるトイレ装置を提供することを目的とする。【解決手段】着座面および内周面を有する便座と、閉じた状態で前記着座面を覆い前記着座面と対面する裏面を有する便蓋と、前記裏面に設けられ、前記便蓋が閉じた状態において、便器のボウル部であって光触媒膜が形成されたボウル部に紫外線を照射する光源装置と、を備え、前記光源装置は、前記紫外線を放射する照射部を有し、前記照射部は、前記便蓋が閉じた状態において、前記便器のリム面よりも上方に設けられ、前記前記照射部が放射する紫外線の直接光は、前記着座面には当たらず前記内周面および前記ボウル部の表面に照射されることを特徴とするトイレ装置が提供される。【選択図】図２
2014152476.tif 000002
【特許請求の範囲】
【請求項１】
着座面および内周面を有する便座と、
閉じた状態で前記着座面を覆い前記着座面と対面する裏面を有する便蓋と、
前記裏面に設けられ、前記便蓋が閉じた状態において、便器のボウル部であって光触媒膜が形成されたボウル部に紫外線を照射する光源装置と、
を備え、
前記光源装置は、前記紫外線を放射する照射部を有し、
前記照射部は、前記便蓋が閉じた状態において、前記便器のリム面よりも上方に設けられ、前記前記照射部が放射する紫外線の直接光は、前記着座面には当たらず前記内周面および前記ボウル部の表面に照射されることを特徴とするトイレ装置。
【請求項２】
着座面を有する便座と、
閉じた状態で前記着座面を覆い前記着座面と対面する裏面を有する便蓋と、
前記裏面に設けられ、前記便蓋が閉じた状態において、便器のボウル部であって光触媒膜が形成されたボウル部に紫外線を照射する光源装置と、
を備え、
前記光源装置は、前記紫外線を放射する照射部を有し、
前記照射部は、前記便蓋が閉じた状態において、前記便器のリム面よりも上方に設けられ、前記照射部が放射する紫外線の直接光は、前記便座には当たらず前記ボウル部の表面に照射されることを特徴とするトイレ装置。
【請求項３】
前記光源装置の少なくとも一部は、前記便蓋が閉じた状態において、前記着座面よりも下方に設けられたことを特徴とする請求項２記載のトイレ装置。
【請求項４】
前記光源装置は、円柱形状を呈する複数の冷陰極管を有し、
前記冷陰極管は、前記便蓋が閉じた状態において前記便器の前後方向に延在することを特徴とする請求項１〜３のいずれか１つに記載のトイレ装置。
【請求項５】
前記光源装置は、前記冷陰極管が放射した光を反射する反射板を有し、
前記反射板は、前記複数の冷陰極管のそれぞれを覆う形状を有することを特徴とする請求項４記載のトイレ装置。
【発明の詳細な説明】
【技術分野】
【０００１】
本発明の態様は、一般的に、トイレ装置に関する。
【背景技術】
【０００２】
便器をより清潔に保つために、光触媒層が便器の便鉢の表面に形成された便器がある（特許文献１）。特許文献１に記載された防汚設備は、紫外線照射装置としてのノズルを備え、紫外線照射装置から紫外線を照射して光触媒層の殺菌作用や親水性などの活性を維持することで便器の清潔状態を維持している。
【０００３】
特許文献１に記載の防汚装置では、紫外線を照射するＵＶ−ＬＥＤがノズルの先端に設けられている。そのため、例えば便器の排水管に詰まりが生じ、便器のボウル部に水が溢れた場合には、ＵＶ−ＬＥＤが水に浸かり故障するおそれがある。
【０００４】
これに対して、便蓋の裏面に殺菌灯が取り付けられた構成が記載されている（特許文献２）。  
しかし、特許文献２に記載された構成では、殺菌線が便座に放射されて便座座り面の殺菌消毒が行われる。そのため、便座座り面を形成する樹脂が変色等するいわゆる「樹脂やけ」が生ずるという問題がある。また、殺菌灯から放射された殺菌線の少なくとも一部は、便座座り面により遮られる。そのため、殺菌灯から放射された殺菌線の直接光が便器内部の全体には届かないという問題がある。さらに、便座座り面で反射した反射光は、便蓋と便座座り面との間で反射を繰り返し、便器内部には届きづらい。そのため、光触媒の活性を発揮しづらいという問題がある。
【先行技術文献】
【特許文献】
【０００５】
【特許文献１】特開２００６−３１６６０７号公報
【特許文献２】実開平３−７４９００号公報
【発明の概要】
【発明が解決しようとする課題】
【０００６】
本発明は、かかる課題の認識に基づいてなされたものであり、便座の樹脂やけを抑制できる、あるいはボウル部の表面に十分な強度の紫外線を照射できるトイレ装置を提供することを目的とする。
【課題を解決するための手段】
【０００７】
第１の発明は、着座面および内周面を有する便座と、閉じた状態で前記着座面を覆い前記着座面と対面する裏面を有する便蓋と、前記裏面に設けられ、前記便蓋が閉じた状態において、便器のボウル部であって光触媒膜が形成されたボウル部に紫外線を照射する光源装置と、を備え、前記光源装置は、前記紫外線を放射する照射部を有し、前記照射部は、前記便蓋が閉じた状態において、前記便器のリム面よりも上方に設けられ、前記前記照射部が放射する紫外線の直接光は、前記着座面には当たらず前記内周面および前記ボウル部の表面に照射されることを特徴とするトイレ装置である。
【０００８】
このトイレ装置によれば、照射部から放射された紫外線の直接光が着座面に照射されないため、着座面が変色等するいわゆる「樹脂やけ」を抑制することができる。また、照射部から放射された紫外線の直接光は、着座面には照射されず、着座面に遮られることはない。そのため、ボウル部の表面全体に十分な強度の紫外線を照射することができる。
【０００９】
第２の発明は、着座面を有する便座と、閉じた状態で前記着座面を覆い前記着座面と対面する裏面を有する便蓋と、前記裏面に設けられ、前記便蓋が閉じた状態において、便器のボウル部であって光触媒膜が形成されたボウル部に紫外線を照射する光源装置と、を備え、前記光源装置は、前記紫外線を放射する照射部を有し、前記照射部は、前記便蓋が閉じた状態において、前記便器のリム面よりも上方に設けられ、前記照射部が放射する紫外線の直接光は、前記便座には当たらず前記ボウル部の表面に照射されることを特徴とするトイレ装置である。
【００１０】
このトイレ装置によれば、照射部から放射された紫外線の直接光が便座に照射されないため、便座が変色等するいわゆる「樹脂やけ」を抑制することができる。また、照射部から放射された紫外線の直接光は、便座には照射されず、便座に遮られることはない。そのため、ボウル部の表面全体に十分な強度の紫外線を照射することができる。
【００１１】
第３の発明は、第２の発明において、前記光源装置の少なくとも一部は、前記便蓋が閉じた状態において、前記着座面よりも下方に設けられたことを特徴とするトイレ装置である。
【００１２】
このトイレ装置によれば、光源装置から放射された紫外線の直接光を着座面に当てずに、光源装置とボウル部の表面との間の距離を短くすることができる。そのため、ボウル部の表面に十分な強度の紫外線を照射することができる。
【００１３】
第４の発明は、第１〜第３のいずれか１つの発明において、前記光源装置は、円柱形状を呈する複数の冷陰極管を有し、前記冷陰極管は、前記便蓋が閉じた状態において前記便器の前後方向に延在することを特徴とするトイレ装置である。
【００１４】
このトイレ装置によれば、光源装置は、冷陰極管から紫外線を放射するため、十分な強度の紫外線を照射することができる。また、光源装置は、複数の冷陰極管を有するため、ボウル部の表面全体に対して光源装置からより短い距離で直接光を当てることができる。これにより、十分な強度の紫外線をボウル部の表面に照射することができる。
【００１５】
第５の発明は、第４の発明において、前記光源装置は、前記冷陰極管が放射した光を反射する反射板を有し、前記反射板は、前記複数の冷陰極管のそれぞれを覆う形状を有することを特徴とするトイレ装置である。
【００１６】
このトイレ装置によれば、複数の冷陰極管のそれぞれが放射した紫外線の強度をより確実に光源装置の外部へ放射させることができる。
【発明の効果】
【００１７】
本発明の態様によれば、便座の樹脂やけを抑制できる、あるいはボウル部の表面に十分な強度の紫外線を照射できるトイレ装置が提供される。
【図面の簡単な説明】
【００１８】
【図１】本発明の実施の形態にかかるトイレ装置を表す模式的斜視図である。
【図２】本実施形態にかかるトイレ装置を表す模式的断面図である。
【図３】本実施形態の光源装置を拡大して眺めた模式的拡大図である。
【図４】本実施形態の光源装置の具体例を例示する模式図である。
【図５】本発明の他の実施の形態にかかるトイレ装置を表す模式的斜視図である。
【図６】本実施形態にかかるトイレ装置を表す模式的断面図である。
【図７】光触媒層の一例を例示する模式的断面図である。
【図８】本実施形態の光触媒層の吸光特性の一例を例示するグラフ図である。
【図９】冷陰極管のスペクトルの一例を例示するグラフ図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す模式的斜視図である。  
図２は、本実施形態にかかるトイレ装置を表す模式的断面図である。  
なお、図２（ａ）は、図１に表した切断面Ａ−Ａにおける模式的断面図である。図２（ｂ）は、図２（ａ）に表した切断面Ｃ−Ｃにおける模式的断面図である。
【００２０】
本実施形態にかかるトイレ装置１０は、洋式腰掛便器（以下説明の便宜上、単に「便器」と称する）８１０と、その上に設けられた衛生洗浄装置１１０と、を備える。衛生洗浄装置１１０は、ケーシング４１０と、便座２１０と、便蓋３１０と、光源装置５００と、を有する。便座２１０と便蓋３１０とは、ケーシング４１０に対して開閉自在にそれぞれ軸支されている。
【００２１】
但し、ケーシング４１０は、必ずしも設けられていなくともよい。例えば、便座２１０と便蓋３１０とは、便器８１０に対して開閉自在にそれぞれ軸支されていてもよい。あるいは、本実施形態のトイレ装置１０は、便器８１０を必ずしも備えていなくともよい。
【００２２】
便器８１０は、ボウル部８１１を有する。便蓋３１０が閉じている状態では、ボウル部８１１は、便蓋３１０により覆われる。ボウル部８１１の表面には、光触媒層（「光触媒膜」ともいう）８１３が形成されている。  
本願明細書において、「光触媒」とは、光を照射すると、酸化作用および還元作用の少なくともいずれかが促進されるものをいう。その結果、雑菌や細菌や臭気物質などの有機物を分解する分解作用と、表面が水に濡れやすい親水作用と、菌の繁殖を抑制するあるいは菌の活動を停止させる抗菌作用と、を得ることができる。光触媒層８１３が形成されたボウル部８１１は、汚物の付着を抑制したり、汚物を分解したり、付着した水垢を容易に除去できるため、便器８１０の清掃負担を軽減し、きれいな便器８１０を維持することができる。
【００２３】
具体的には、光触媒層８１３が形成されたボウル部８１１の表面に紫外線を照射すると、その紫外線および空気中の水や酸素などにより、ボウル部８１１の表面に活性酸素が発生する。その活性酸素は、ボウル部８１１の表面に付着した汚れや雑菌や細菌や臭気物質などを分解する。また、その活性酸素は、揮発性有機化合物（ＶＯＣ：Volatile Organic Compounds）なども分解する。そのため、光触媒の分解作用により、ボウル部８１１の表面の抗菌や防汚や防臭を行うことができる。
【００２４】
また、光触媒層８１３が形成されたボウル部８１１の表面に紫外線を照射すると、その表面には周囲の水との結合による親水基（−ＯＨ）が表出する。これにより、ボウル部８１１の表面は、水になじむようになり、濡れやすくなる（親水作用）。すなわち、ボウル部８１１の表面には水滴ができず、水が表面に濡れ広がるようになる。そして、予めボウル部８１１の表面を親水化することにより、汚れは、ボウル部８１１の表面に濡れ広がった水の表面に付着することになる。さらに、ボウル部８１１の洗浄に用いる洗浄水がボウル部８１１の表面とその表面に付着した汚れとの間に入り込み、汚れを浮かして流す。そのため、光触媒の親水作用により、ボウル部８１１の表面の防汚や防曇が可能となる。
【００２５】
これらによれば、紫外線の照射と、光触媒の分解作用、親水作用および抗菌作用と、の相乗効果により効果的にボウル部８１１の抗菌や防汚や防臭を行うことができる。このような「光触媒」の材料としては、例えば、金属の酸化物を用いることができる。そのような酸化物としては、例えば、酸化チタン（ＴｉＯｘ）、酸化亜鉛（ＺｎＯｘ）、酸化スズ（ＳｎＯｘ）、酸化ジルコニウム（ＺｒＯｘ）などを挙げることができる。これらのうちでも、特に、酸化チタンは、光触媒として活性であり、また、安定性や安全性などの点でも優れる。
【００２６】
本願明細書において、「紫外線」とは、４００ナノメートル（ｎｍ）以下の波長に極大を有する光をいう。具体的には、紫外線とは、３００ｎｍ以上、３６０ｎｍ以下の波長に極大を有する光をいう。これについては、後に詳述する。また、光触媒層８１３の詳細についても、後に詳述する。
【００２７】
光源装置５００は、便蓋３１０の内部に設けられている。具体的には、便蓋３１０は、便蓋本体３１１と、カバー部材（底板）３１２と、を有する。光源装置５００は、便蓋本体３１１とカバー部材３１２との間に設けられ、便蓋３１０が閉じた状態で便座２１０の着座面２１１と対面する便蓋３１０の面（裏面）３１３に取り付けられている。
【００２８】
図２（ａ）および図２（ｂ）に表したように、光源装置５００は、便蓋３１０が閉じた状態において、便器８１０のリム面８１２よりも上方に設けられている。また、光源装置５００の少なくとも一部は、便蓋３１０が閉じた状態において、便座２１０の着座面２１１よりも下方に設けられている。
【００２９】
なお、本願明細書においては、便座２１０に座った使用者からみて上方を「上方」とし、便座２１０に座った使用者からみて下方を「下方」とする。また、便座２１０に座った使用者からみて前方を「前方」とし、便座２１０に座った使用者からみて後方を「後方」とする。あるいは、便器８１０の方向を向いて便器８１０の前に立った使用者からみて手前側を「前方」とし、便器８１０の方向を向いて便器８１０の前に立った使用者からみて奥側を「後方」とする。また、便器８１０の方向を向いて便器８１０の前に立った使用者からみて右側を「右側方」とし、便器８１０の方向を向いて便器８１０の前に立った使用者からみて左側を「左側方」とする。これは、図５および図６に関して後述するトイレ装置２０においても同様である。
【００３０】
図２（ａ）および図２（ｂ）に表したように、光源装置５００は、冷陰極管（照射部）５１０を有し、冷陰極管５１０から紫外線を照射することができる。  
本実施形態では、照射部は、冷陰極管５１０である。但し、これだけに限定されず、照射部は、発光ダイオード（ＬＥＤ：Light Emitting Diode）などの半導体発光素子であってもよい。  
図１に表したように、カバー部材３１２は、開口部３１２ａを有する。光源装置５００は、便蓋３１０が閉じた状態において、カバー部材３１２の開口部３１２ａを通して便器８１０のボウル部８１１の表面に対して紫外線を照射することができる。このとき、光源装置５００から放射される紫外線の直接光は、便座２１０には当たらずボウル部８１１の表面に照射される。これについて、図面を参照しつつさらに説明する。
【００３１】
図３は、本実施形態の光源装置を拡大して眺めた模式的拡大図である。  
なお、図３（ａ）は、図２（ａ）に表した範囲Ａ１を拡大して眺めた模式的拡大図である。図３（ｂ）は、図２（ｂ）に表した範囲Ａ２を拡大して眺めた模式的拡大図である。
【００３２】
前述したように、光源装置５００は、便蓋３１０が閉じた状態において、カバー部材３１２の開口部３１２ａを通して便器８１０のボウル部８１１の表面に対して紫外線を照射することができる。このとき、図３（ａ）に表した光線Ｂ１および光線Ｂ２、ならびに図３（ｂ）に表した光線Ｂ３〜光線Ｂ６のように、冷陰極管５１０から放射され開口部３１２ａを通過した紫外線の直接光は、便座２１０には照射されずボウル部８１１の表面に照射される。
【００３３】
これによれば、冷陰極管５１０から放射された紫外線の直接光が便座２１０に照射されないため、便座２１０を形成する例えば樹脂などが変色するいわゆる「樹脂やけ」を抑制することができる。また、冷陰極管５１０から放射された紫外線の直接光は、便座２１０には照射されず、便座２１０に遮られることはない。そのため、ボウル部８１１の表面全体に十分な強度の紫外線を照射することができる。
【００３４】
図２（ａ）および図２（ｂ）に関して前述したように、便蓋３１０が閉じた状態において、光源装置５００は、便器８１０のリム面８１２よりも上方に設けられ、且つ、光源装置５００の少なくとも一部は、便座２１０の着座面２１１よりも下方に設けられている。
【００３５】
これによれば、冷陰極管５１０から放射された紫外線の直接光を便座２１０の着座面２１１に当てずに、光源装置５００とボウル部８１１の表面との間の距離を短くすることができる。そのため、ボウル部８１１の表面に十分な強度の紫外線を照射することができる。
【００３６】
図４は、本実施形態の光源装置の具体例を例示する模式図である。  
なお、図４（ａ）は、本実施形態の光源装置を斜め上方から眺めた模式的斜視図である。図４（ｂ）は、本実施形態の光源装置の模式的分解図である。図４（ａ）では、説明の便宜上、保護カバー５２３を省略している。
【００３７】
本実施形態の光源装置５００は、照明ケース５２１と、保護カバー５２３と、両面テープ５２５と、リフレクタ（反射板）５２０と、冷陰極管５１０と、を有する。冷陰極管５１０およびリフレクタ５２０は、照明ケース５２１と保護カバー５２３との間に設けられている。リフレクタ５２０は、冷陰極管５１０と照明ケース５２１との間に設けられている。
【００３８】
光源装置５００は、複数の冷陰極管５１０を有する。本具体例の光源装置５００は、２つの冷陰極管５１０を有する。光源装置５００が有する冷陰極管５１０の数は、２つに限定されるわけではない。冷陰極管５１０は、略円柱状の形状を有する。図２（ａ）および図３（ａ）に表したように、冷陰極管５１０は、便蓋３１０が閉じた状態において長手方向がトイレ装置１０の前後方向と略平行な状態で配置されている。
【００３９】
光源装置５００は、冷陰極管５１０から紫外線を放射するため、十分な強度の紫外線を照射することができる。また、光源装置５００は、複数の冷陰極管５１０を有するため、ボウル部８２１の表面全体に対して光源装置５００からより短い距離で直接光を当てることができる。これにより、十分な強度の紫外線をボウル部８２１の表面に照射することができる。
【００４０】
リフレクタ５２０は、例えばアルミニウムなどの金属やアルミニウムが蒸着された樹脂などにより形成されている。リフレクタ５２０は、冷陰極管５１０が放射した紫外線の一部を保護カバー５２３へ向かって反射する。保護カバー５２３は、冷陰極管５１０およびリフレクタ５２０が照明ケース５２１に取り付けられた状態で両面テープ５２５により照明ケース５２１に固定されている。保護カバー５２３は、例えばアクリルなどの樹脂により形成され、紫外線を透過可能とされてなる。
【００４１】
冷陰極管５１０から放射された紫外線の一部は、リフレクタ５２０などにより反射されることなく直接的に保護カバー５２３を通して光源装置５００の外部へ放射される。冷陰極管５１０から放射された紫外線の他の一部は、リフレクタ５２０により一回あるいは複数回反射され、間接的に保護カバー５２３を通して光源装置５００の外部へ放射される。光源装置５００の外部へ放射された紫外線は、ボウル部８１１の表面に照射される。
【００４２】
図４（ａ）および図４（ｂ）に表したように、リフレクタ５２０は、複数の冷陰極管５１０のそれぞれを覆う形状を有する。これによれば、複数の冷陰極管５１０のそれぞれが放射した紫外線の強度をより確実に光源装置５００の外部へ放射させることができる。
【００４３】
次に、本発明の他の実施の形態について説明する。  
図５は、本発明の他の実施の形態にかかるトイレ装置を表す模式的斜視図である。  
図６は、本実施形態にかかるトイレ装置を表す模式的断面図である。  
なお、図６（ａ）は、図５に表した切断面Ｂ−Ｂにおける模式的断面図である。図６（ｂ）は、図６（ａ）に表した切断面Ｄ−Ｄにおける模式的断面図である。
【００４４】
本実施形態にかかるトイレ装置２０は、便器８２０と、その上に設けられた衛生洗浄装置１２０と、を備える。衛生洗浄装置１２０は、ケーシング４２０と、便座２２０と、便蓋３２０と、光源装置５００と、を有する。本実施形態の便器８２０と、ケーシング４２０と、便座２２０と、便蓋３２０と、のそれぞれの形状は、図１に関して前述したトイレ装置１０の便器８１０と、ケーシング４１０と、便座２１０と、便蓋３１０と、のそれぞれの形状と異なる。本実施形態にかかるトイレ装置２０の基本的な組み立て構造は、図１および図２に関して前述したトイレ装置１０の基本的な組み立て構造と同様である。
【００４５】
すなわち、便器８２０のボウル部８２１の表面には、光触媒層８２３が形成されている。  
光源装置５００は、便蓋３２０の内部に設けられている。具体的には、便蓋３２０は、便蓋本体３２１と、カバー部材（底板）３２２と、を有する。光源装置５００は、便蓋本体３２１とカバー部材３２２との間に設けられ、便蓋３２０が閉じた状態で便座２２０の着座面２２１と対面する便蓋３２０の面（裏面）３２３に取り付けられている。
【００４６】
図６（ｂ）に表したように、便座２２０は、上面２２６と、便座内周面２２２と、便座外周面２２５と、を有する。ここで、本願明細書において「着座面」とは、着座した使用者の臀部あるいは大腿部が接触する面をいい、図６（ｂ）に表したように、上面２２６と便座内周面２２２との間に第１のラウンド部２２３が形成され、上面２２６と便座外周面２２５との間に第２のラウンド部２２４が形成された場合には、着座面は、上面２２６と、第１のラウンド部２２３と、第２のラウンド部２２４と、を含む面をいう。そのため、第１のラウンド部２２３および第２のラウンド部２２４が形成されていない場合には、上面２２６は、着座面２２１として機能する。
【００４７】
図６（ａ）および図６（ｂ）に表したように、光源装置５００は、便蓋３２０が閉じた状態において、便器８２０のリム面８２２よりも上方に設けられている。光源装置５００は、便蓋３２０が閉じた状態において、カバー部材３２２に設けられた開口部３２２ａを通して便器８２０のボウル部８２１の表面に対して紫外線を照射することができる。このとき、光源装置５００から放射される紫外線の直接光は、便座２２０の着座面２２１には当たらず便座内周面２２２およびボウル部８２１の表面に照射される。
【００４８】
具体的には、図６（ａ）に表した光線Ｂ１１および光線Ｂ１２、ならびに図６（ｂ）に表した光線Ｂ１３〜光線Ｂ１６のように、冷陰極管５１０から放射され開口部３２２ａを通過した紫外線の直接光は、着座面２２１には照射されず便座内周面２２２およびボウル部８１１の表面に照射される。
【００４９】
これによれば、冷陰極管５１０から放射された紫外線の直接光が着座面２２１に照射されないため、着座面２２１を形成する例えば樹脂などが変色するいわゆる「樹脂やけ」を抑制することができる。また、冷陰極管５１０から放射された紫外線の直接光は、着座面２２１には照射されず、着座面２２１に遮られることはない。そのため、ボウル部８１１の表面全体に十分な強度の紫外線を照射することができる。
【００５０】
図７は、光触媒層の一例を例示する模式的断面図である。  
図１〜図３に関して前述したトイレ装置１０の基本的な構造は、図５および図６に関して前述したトイレ装置２０の基本的な構造と同様であるため、以下では、図１〜図３に関して前述したトイレ装置１０を例に挙げて説明する。
【００５１】
本実施形態の光触媒層８１３は、バリア層８１３ａと、機能層８１３ｂと、を有する。例えば、光触媒層８１３としては、ＴｉＯ２／ＺｒＯ２系触媒焼成膜が用いられる。例えば、バリア層８１３ａにおけるＴｉＯ２とＺｒＯ２との配合比率は、機能層８１３ｂにおけるＴｉＯ２とＺｒＯ２との配合比率とそれぞれ異なる。但し、図７に表した光触媒層８１３は、一例である。本実施形態の光触媒層８１３は、これだけに限定されるわけではない。
【００５２】
図８は、本実施形態の光触媒層の吸光特性の一例を例示するグラフ図である。  
図９は、冷陰極管のスペクトルの一例を例示するグラフ図である。  
図８に表したグラフ図の横軸は、波長（ｎｍ）を表す。図８の表したグラフ図の縦軸は、吸光特性（任意単位：ａ．ｕ．）を表す。  
図９に表したグラフ図の横軸は、冷陰極管が放射する光の波長（ｎｍ）を表す。図９に表したグラフ図の縦軸は、冷陰極管が放射する光の強度（ａ．ｕ．）を表す。
【００５３】
図８に表したように、本実施形態の光触媒層８１３は、波長が約４００ｎｍ以下の紫外線をより多く吸収する特性を有する。つまり、本実施形態の光触媒層８１３は、波長が約４００ｎｍ以下の紫外線が照射されると励起され、光触媒活性を発現する。また、本実施形態の光触媒層８１３は、波長が３００ｎｍ以上の紫外線において、波長が相対的に短い紫外線に対して相対的に高い励起効率（吸光特性）を有する。
【００５４】
そのため、光源装置５００が比較的短い波長の紫外線をボウル部８１１に照射すると、ボウル部８１１の励起効率は、比較的高くなる。これによれば、光触媒層８１３の光触媒活性を効率的に発現させ、分解作用、親水作用および抗菌作用を得ることができる。そのため、分解作用、親水作用および抗菌作用を考慮すると、光源装置５００は、比較的短い波長の紫外線をボウル部８１１に照射することがより望ましい。
【００５５】
一方で、比較的短い波長の紫外線については、人体に影響を及ぼしたり、樹脂を変色あるいは劣化させることが知れられている。そのため、人体への影響や、樹脂の変色あるいは劣化などを考慮すると、光源装置５００は、比較的長い波長の紫外線をボウル部８１１に照射することがより望ましい。
【００５６】
そこで、例えば図９に表したように、本実施形態の光源装置５００は、３００ｎｍ以上、３５０ｎｍ以下の波長に極大を有する紫外線を放射する。そして、光源装置５００は、３００ｎｍ以上、３５０ｎｍ以下の波長に極大を有する紫外線をボウル部８１１に照射する。
【００５７】
これによれば、紫外線による人体への影響を抑制することができるとともに、励起効率が比較的高い波長の紫外線をボウル部８１１に照射することができる。そのため、紫外線の照射時間を比較的短くすることができる。これにより、光源装置５００の長寿命化を実現することができる。また、清潔なトイレ装置を提供することができる。
【００５８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置１０、２０および光源装置５００などが備える各要素の形状、寸法、材質、配置などや光源装置５００および冷陰極管５１０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５９】
１０、２０ トイレ装置、  １１０、１２０ 衛生洗浄装置、  ２１０ 便座、  ２１１ 着座面、  ２２０ 便座、  ２２１ 着座面、  ２２２ 便座内周面、  ２２３ 第１のラウンド部、  ２２４ 第２のラウンド部、  ２２５ 便座外周面、  ２２６ 上面、  ３１０ 便蓋、  ３１１ 便蓋本体、  ３１２ カバー部材、  ３１２ａ 開口部、  ３１３ 裏面、  ３２０ 便蓋、  ３２１ 便蓋本体、  ３２２ カバー部材、  ３２２ａ 開口部、  ３２３ 裏面、  ４１０、４２０ ケーシング、  ５００ 光源装置、  ５１０ 冷陰極管、  ５２０ リフレクタ、  ５２１ 照明ケース、  ５２３ 保護カバー、  ５２５ 両面テープ、  ８１０ 便器、  ８１１ ボウル部、  ８１２ リム面、  ８１３ 光触媒層、  ８１３ａ バリア層、  ８１３ｂ 機能層、  ８２０ 便器、  ８２１ ボウル部、  ８２２ リム面、  ８２３ 光触媒層
【図１】
2014152476.tif 000003
【図２】
2014152476.tif 000004
【図３】
2014152476.tif 000005
【図４】
2014152476.tif 000006
【図５】
2014152476.tif 000007
【図６】
2014152476.tif 000008
【図７】
2014152476.tif 000009
【図８】
2014152476.tif 000010
【図９】
2014152476.tif 000011